【事件の表示】
　特願２００４−　６２８４３「表示処理装置」拒絶査定不服審判事件〔平成１７年　９月１５日出願公開、特開２００５−２５１００８〕について、次のとおり審決する。
【結　論】
　本件審判の請求は、成り立たない。
【理　由】
第１　手続きの経緯
　本願は、平成１６年３月５日の出願であり、平成２０年９月１日付けで拒絶の理由が通知され、同年１０月３０日付けで意見書とともに手続補正書が提出されたが、平成２０年１２月３日付けで拒絶査定がなされ、それに対して同年１２月２６日に拒絶査定不服の審判請求がなされたものである。
　
第２　本願発明
　本願の請求項１に係る発明は、平成２０年１０月３０日付けの手続補正書により補正された明細書及び図面の記載からみて、特許請求の範囲の請求項１に記載された次のとおりのものと認める。（以下、「本願発明」という。）
　
「表示装置と、
　前記表示装置に表示する情報を記憶する記憶手段と、
　前記情報のスクロール表示を実行させる指示の入力を受け付ける入力手段と、
　前記指示に従って前記情報を所定方向にスクロール表示させる表示制御手段とを備え、
　前記表示制御手段は前記指示の終了後に前記情報を前記所定方向と逆方向に所定量だけ戻した情報を表示させ、
　前記記憶手段は前記所定量を記憶し、
　前記入力手段は前記表示装置に表示された情報の内所望の情報の選択および前記選択された情報の確定を受け付け、
　前記入力手段が前記選択された情報の確定を受け付けた後に、前記表示制御手段は前記指示の終了時点に表示されていた情報から前記選択された情報までのスクロール表示の移動量を算出し、前記所定量と前記移動量との平均値を新たな所定量として前記記憶手段に更新記憶する表示処理装置。」
　
第３　引用例
　原査定の拒絶の理由に引用された特開２００３−３４５３３３号公報（以下、「引用例」という。）には、図面とともに次の記載がある。
（ア）「【００１０】
【発明の実施の形態】図１は、本発明の実施の形態に係る画像表示処理方式に使用する画像表示装置のブロック図である。画像表示装置１は、使用者が画像を閲覧するための表示部１１（表示手段）、連続表示／停止等の操作を行うための操作部１２（操作手段）、表示部１１で表示するための画像を格納する画像記憶部１３（画像データ記憶手段）、過去の操作情報、使用者の特性、画像表示装置の特性を記憶する設定記憶部１４（使用者の反応時間を記憶する反応時間記憶手段、停止処理時間を記憶する停止処理時間記憶手段、表示データの時系列情報を記憶する設定記憶手段）、操作内容から表示画像を決定する制御部１５（制御手段）、画像表示／操作制御に要する時間を測定する時間測定部１６（時間測定手段）を備えている。
【００１１】表示部１１は、画像記憶部１３から画像データをロードして、複数の画像を連続して高速に表示することができる。操作部１２は、表示部１１に表示される画像を、使用者の意志によって切り替えるための操作デバイス（ボタン／ダイヤル／スクロールバーなど）を持ち、その操作デバイスによって、連続表示を指示操作したり、連続表示の停止を指示操作したり、表示画像を１ページ（コマ）ずつ進めたり、戻したり（コマ送り操作）、また、（任意のスピードで）複数の画像を連続的に表示したりすることができる。
【００１２】画像記憶部１３は、表示部１１で複数の画像を連続して高速に表示するために、効率的な形式で画像データを格納することができる。設定記憶部１４は、表示された画像を特定する情報（画像番号やファイル名など）や、操作部１２を通じた使用者の操作履歴を、時間測定部１６による時間情報とともに記憶する。また、設定記憶部１４は、表示部１１に表示された使用者の目的の画像を見てから操作部１２を停止操作するまでの時間（反応時間）、操作部１２によって停止操作がなされてから１つの画像が表示部１１に停止表示されるまでの時間即ち操作部１２による停止操作から画像が停止表示されるまでの時間（停止処理時間）が予め記憶される。
【００１３】制御部１５は、操作部１２を通じた操作内容に従い、設定記憶部１４の情報を利用しながら、画像記憶部１３から表示部１１への画像データの送出を制御することができる。時間測定部１６は、画像記憶部１３から表示部１１に画像データを送出する時間、表示部１１に画像データを表示するための時間、操作部１２を通じた操作内容を制御部１５が処理して表示部１１の画像表示内容を制御する時間を測定することができる。図２は、本発明の実施の形態に係る画像表示処理方式の処理動作を説明するための説明図である。」（段落【００１０】〜【００１３】）
　　　
（イ）「【００１４】図１及び図２を用いて本実施の形態の概要を説明すると、画像表示装置１は、複数の画像を連続して高速に表示しながら、目的の画像をその内容によって検索する際、使用者が目的の画像を発見してから画像の連続表示を停止するまでに要した時間と、その間に継続的に表示された画像を制御することによって、通り過ぎてしまった目的の画像を、少ない操作で再度表示できるようにした構成を具備するものである。
【００１５】即ち、図２において、画像１〜６を高速に切り替えて順に表示しているとき、使用者が画像２の内容を見て目的の画像と判断し、高速表示を停止する操作をおこなった場合、実際に停止できる状態になったときに表示されているのは既に画像５だったとしても、推定される使用者の反応時間と、測定した表示装置の処理時間を元に、使用者が目的の画像と判断した画像を画像２と推定し、再表示する。このようにして、連続した高速表示において、使用者が目的の画像を発見した際に、目的の画像で連続表示の停止ができなかったとしても、その画像を再度表示するための操作を短縮することができる。図３は、本実施の形態に係る画像表示処理方式における処理を示すフローチャートである。
【００１６】以下、図１〜図３を参照して、本実施の形態の動作を詳細に説明する。先ず、使用者は、操作部１２を操作することにより、表示部１１に画像データを連続的に表示させる（図３のステップＳ１）前記操作部１２の操作機能としては、連続表示の開始を指定する操作を一旦行うと、それを停止する操作をしない限り、連続表示が繰り返されるようにした機能、あるいは、ボタンによって構成された操作部１２を押し続けるような操作によって連続表示され、操作部１２を離すことで連続表示が停止する機能とする。
【００１７】操作部１２からの操作に基づき、制御部１５は、画像記憶部１３から画像データを取り出して、表示部１１に表示する（ステップＳ２）。操作部１２によって特に停止操作をしない限り、表示部１１には画像が次々と所定の時間間隔で表示される。前記時間間隔は、予め設定された一定の値か、操作部１２によって使用者が指定したものとする。
【００１８】本実施の形態が効果を発揮するのは、前記時間間隔で行われる連続表示において、使用者が画像のイメージを認識できる範囲内で、使用者が目的の画像を認識してから、実際に制御部１５が表示部１１の連続表示を停止させるまでの時間が、前記時間間隔より長い（つまり表示部１１に目的の画像がすでに表示されていない状態となる）ときである。
【００１９】表示部１１に表示された画像を特定する情報は、時間測定部１６によって測定された時間とともに、設定記憶部１４に逐次格納される。操作部１２によって連続表示の停止操作がおこなわれた場合、制御部１５は、表示部１１に対して繰り返し画像データを表示する処理を停止し、この処理に要する時間も時間測定部１６によって同様に測定され、設定記憶部１４に格納される。
【００２０】制御部１５は、予め設定した使用者の反応時間（図２のＴ１）と、設定記憶部１４に格納されている表示装置の停止処理時間（図２のＴ２）から、使用者が目的とする画像は、それらの時間を合計した時間（Ｔ１＋Ｔ２）だけ前に表示していた画像であると推定して表示超過時間を特定し（ステップＳ４）、設定記憶部１４に格納された表示データの時系列情報を元に、前記表示超過時間分だけ自動的に表示を戻し、再度、画像記憶部１３から目的の画像を取り出して、表示部１１に表示する（ステップＳ５）。このようにして、連続した高速表示において、使用者が目的の画像を発見した際に、連続表示が使用者の操作に比較して高速なために、目的の画像で連続表示の停止ができなかったとしても、自動的に（若しくはより少ない操作で）目的の画像を再度表示することができる。
【００２１】尚、表示を戻すべき時間（Ｔ１＋Ｔ２）を決定した後、自動的に目的の画像を推定する代りに、時間（Ｔ１＋Ｔ２）あるいは（Ｔ１＋Ｔ２＋α）（αは所定の余裕時間）の間に表示した個々の画像を、表示部１１に連続して低速表示（前述した通常の表示（高速表示）よりも遅い表示を行うようにし（図３のステップＳ６）、操作部１２によって目的の画像を使用者に再度特定させるようにしてもよい。このときの画像の表示順序は逆順にしてもよい。
【００２２】即ち、使用者の前記反応時間、前記停止処理時間及び前記表示データの時系列情報を記憶する設定記憶部１４とを備え、制御部１５は、設定記憶部１４に予め記憶された反応時間及び停止処理時間の合計時間と、前記設定記憶部１４に記憶した表示データの時系列情報とに基づいて、画像表示の停止位置から前記合計時間又は前記合計時間に余裕時間を加えた時間だけ遡って前記画像記憶部１３から画像を読み出し、通常よりも低速で表示部１１に表示するように構成してもよい。
【００２３】また、表示を戻すべき時間（Ｔ１＋Ｔ２）を特定した後、自動的に目的の画像を推定する代りに、時間（Ｔ１＋Ｔ２）あるいは（Ｔ１＋Ｔ２＋α）（αは所定の余裕時間）の間に表示した個々の画像を、縮小して表示部１１に一覧表示し（サムネイルを表示し）（図３のステップＳ７）、操作部１２によって目的の画像を使用者に再度特定させるようにしてもよい。即ち、制御部１５は、画像表示の停止位置から前記合計時間又は前記合計時間に余裕時間を加えた時間だけ遡って画像記憶部１３から画像を読み出し、前記読み出した個々の画像を縮小して表示部１１に一覧表示するように構成してもよい。」（段落【００１４】〜【００２３】）
　　
（ウ）「【００２４】また、予め設定した使用者の反応時間（図２のＴ１）が実際の使用者の反応時間と異なることによって、自動的に目的の画像が表示されない場合、使用者は操作部１２のコマ送り操作により、前後の画像データを逐次表示することで目的の画像を表示部１１に表示させる。即ち、操作部１２は、更に、表示される画像のコマ送りを指示するコマ送り機能を有し、制御部１５は、操作部１２によって画像のコマ送り指示が成される毎に、表示部１１に表示する画像をコマ送りするように構成してもよい。
【００２５】このような補正操作がおこなわれた場合、このときの使用者の目的の画像が、画像表示装置１が自動的に目的の画像と推定した画像の何ページ（コマ）前後であったかを画像表示装置１は学習し、設定記憶部１４に格納されている表示に要した時間情報を元に、予め設定した使用者の反応時間（図２のＴ１）を修正する。即ち、制御部１５は、操作部１２によってコマ送りされた画像の数に基づいて、設定記憶部１４に予め記憶した前記使用者の反応時間を修正するように構成してもよい。これにより、設定される使用者の反応時間（図２のＴ１）は、個々の使用者における実際の反応時間により近づき、自動的に推定した画像が使用者の目的の画像となる可能性をより高めることができる。」（段落【００２４】、【００２５】）
　　
（エ）「【００２６】以上述べたように本実施の形態に係る画像表示方式によれば、特に、操作部１２と、画像データを記憶する画像記憶部１３と、画像を表示する表示部１１と、制御部１５とを備えて成り、制御部１５は、操作部１２の表示操作に応答して画像記憶部１３に記憶した画像データを連続的に表示部１１に表示すると共に、操作部１２の停止操作に応答して、使用者の反応時間と停止処理時間とに基づいて使用者が目的とする画像を推定し、前記推定した画像を表示部１１に表示することを特徴としている。即ち、制御部１５は、操作部１２の停止操作に応答して、記憶手段に記憶した使用者の反応時間と停止処理時間とに基づいて使用者が停止表示させたい画像を推定し、前記推定した画像を表示部１１に表示する。
【００２７】また、使用者の前記反応時間、前記停止処理時間および前記表示データの時系列情報を記憶する設定記憶部１４を備え、制御部１５は、前記反応時間、停止処理時間および前記表示データの時系列情報に基づいて目的の画像を特定し、前記特定した画像を画像記憶部１３から読み出して表示部１１に表示するようにしている。また、制御部１５は、使用者が目的とする画像は前記反応時間と前記停止処理時間とを合計した時間だけ前に表示していた画像であると推定し、前記表示データの時系列情報に基づいて再度、画像記憶部１３から目的の画像を読み出して表示部１１に表示する。
【００２８】したがって、画像の連続高速表示において、使用者が目的の画像を発見してから連続表示を停止するまでに要した時間と、その間に継続的に表示された画像との関係から、前記目的の画像を自動的に特定するようにしているため、連続した画像表示が行われる場合、特に連続した画像表示が高速に行われる場合に、使用者が目的の画像を発見した際に、目的の画像で連続表示の停止ができなかったとしても、その画像を再度表示するための操作を短縮することが可能になる等の効果を奏する。
【００２９】尚、画像記憶部１３が、画像表示装置１の外部に存在し、ネットワークを通じて画像データをロードして表示する場合でも、本発明の表示方法は実現可能である。この場合、表示装置の停止処理時間（図２のＴ２）は、前記実施の形態に示した例よりも長くなることが考えられ、その場合、本方式による効果がより大きくなる。
【００３０】
【発明の効果】本発明によれば、簡単な操作で、連続する画像の中から目的の画像を表示させることが可能になる。」（段落【００２６】〜【００３０】）
　　　　
　以上の記載によれば、この引用例には以下のような発明（以下、「引用発明」という。）が開示されていると認められる。
「操作部１２と、画像記憶部１３と、表示部１１と、制御部１５とを備えて成る画像表示装置であって、
　前記操作部１２は、表示部１１に表示される画像を、使用者によって切り替えるための操作デバイス（ボタン／ダイヤル／スクロールバーなど）を持ち、その操作デバイスによって、連続表示を指示操作したり、連続表示の停止を指示操作したり、表示画像を１ページ（コマ）ずつ進めたり、戻したり（コマ送り操作）、また、（任意のスピードで）複数の画像を連続的に表示することができ、
　前記画像記憶部１３は、表示部１１で複数の画像を連続して高速に表示するために、効率的な形式で画像データを格納し、
　操作部１２からの操作に基づき、制御部１５は、画像記憶部１３から画像データを取り出して、表示部１１に表示し、操作部１２によって特に停止操作をしない限り、表示部１１には画像が次々と所定の時間間隔（予め設定された一定の値か、操作部１２によって使用者が指定したものとする。）で表示され、
　前記設定記憶部１４は、表示部１１に表示された画像を特定する情報は、時間測定部１６によって測定された時間とともに、設定記憶部１４に逐次格納され（表示データの時系列情報を記憶し）、また、表示部１１に表示された使用者の目的の画像を見てから操作部１２を停止操作するまでの時間（反応時間）、操作部１２によって停止操作がなされてから１つの画像が表示部１１に停止表示されるまでの時間即ち操作部１２による停止操作から画像が停止表示されるまでの時間（停止処理時間）が予め記憶され、
　操作部１２によって連続表示の停止操作がおこなわれた場合、制御部１５は、表示部１１に対して繰り返し画像データを表示する処理を停止し、この処理に要する時間も時間測定部１６によって同様に測定され、設定記憶部１４に格納され、
　前記制御部１５は、予め設定した使用者の反応時間（Ｔ１）と、設定記憶部１４に格納されている表示装置の停止処理時間（Ｔ２）から、使用者が目的とする画像は、それらの時間を合計した時間（Ｔ１＋Ｔ２）だけ前に表示していた画像であると推定して表示超過時間を特定し、設定記憶部１４に格納された表示データの時系列情報を元に、前記表示超過時間分だけ自動的に表示を戻し、再度、画像記憶部１３から目的の画像を取り出して、表示部１１に表示して、連続した高速表示において、使用者が目的の画像を発見した際に、連続表示が使用者の操作に比較して高速なために、目的の画像で連続表示の停止ができなかったとしても、自動的に目的の画像を表示することができ、
　自動的に目的の画像が表示されない場合、使用者は操作部１２のコマ送り操作により、前後の画像データを逐次表示することで目的の画像を表示部１１に表示させるような補正操作をおこない、このときの使用者の目的の画像が、画像表示装置１が自動的に目的の画像と推定した画像の何ページ（コマ）前後であったかを画像表示装置１は学習し、設定記憶部１４に格納されている表示に要した時間情報を元に、予め設定した使用者の反応時間（Ｔ１）を修正、即ち、制御部１５は、操作部１２によってコマ送りされた画像の数に基づいて、設定記憶部１４に予め記憶した前記使用者の反応時間を修正することを特徴とする画像表示装置。」
　
第４　対　比
　本願発明と引用発明とを対比する。
　引用発明の「表示部１１」は、本願発明の「表示装置」に相当する。
　引用発明は、「操作部１２は、表示部１１に表示される画像を、使用者によって切り替えるための操作デバイス（ボタン／ダイヤル／スクロールバーなど）を持ち、その操作デバイスによって、連続表示を指示操作」するから、引用発明の「連続表示」は、本願発明の「情報のスクロール」に相当し、引用発明の「連続表示を指示操作」は、本願発明の「前記情報のスクロール表示を実行させる指示」の相当し、引用発明の「操作部１２」の「操作デバイス（ボタン／ダイヤル／スクロールバーなど）」は、本願発明の「情報のスクロール表示を実行させる指示の入力を受け付ける入力手段」に相当する。
　引用発明の「表示部１１で表示するための画像を格納する画像記憶部１３（画像データ記憶手段）」及び「設定記憶部１４」は、本願発明の「表示装置に表示する情報を記憶する手段」に相当する。
　引用発明は、操作部１２からの操作に基づき、制御部１５は、画像記憶部１３から画像データを取り出して、表示部１１に表示し、操作部１２によって特に停止操作をしない限り、表示部１１には画像が次々と所定の時間間隔（予め設定された一定の値か、操作部１２によって使用者が指定したものとする。）で表示されるから、引用発明の「制御部１５」は、本願発明の「前記指示に従って前記情報を所定方向にスクロール表示させる表示制御手段」に相当し、引用発明の「停止操作」は、本願発明の「前記指示の終了」に相当する。
　引用発明の「前記制御部１５は、予め設定した使用者の反応時間（Ｔ１）と、設定記憶部１４に格納されている表示装置の停止処理時間（Ｔ２）から、使用者が目的とする画像は、それらの時間を合計した時間（Ｔ１＋Ｔ２）だけ前に表示していた画像であると推定して表示超過時間を特定し、設定記憶部１４に格納された表示データの時系列情報を元に、前記表示超過時間分だけ自動的に表示を戻し、再度、画像記憶部１３から目的の画像を取り出して、表示部１１に表示する」における、「予め設定した使用者の反応時間（Ｔ１）と、設定記憶部１４に格納されている表示装置の停止処理時間（Ｔ２）とを合計した時間（Ｔ１＋Ｔ２）」は、本願発明の「所定量」に相当し、引用発明は、本願発明の「前記表示手段は前記指示の終了後に前記情報を前記所定方向と逆方向に所定量だけ戻した情報を表示させ」及び「前記記憶手段は前記所定量を記憶し」ている点で本願発明と一致する。
　引用発明の「自動的に目的の画像が表示されない場合、使用者は操作部１２のコマ送り操作により、前後の画像データを逐次表示することで目的の画像を表示部１１に表示させるような補正操作をおこなう」は、本願発明の「前記入力手段は前記表示装置に表示された情報の内所望の情報の選択を受け付ける」に相当する。
　引用発明は、「自動的に目的の画像が表示されない場合、使用者は操作部１２のコマ送り操作により、前後の画像データを逐次表示することで目的の画像を表示部１１に表示させるような補正操作をおこない、このときの使用者の目的の画像が、画像表示装置１が自動的に目的の画像と推定した画像の何ページ（コマ）前後であったかを画像表示装置１は学習し、制御部１５は、操作部１２によってコマ送りされた画像の数に基づいて、設定記憶部１４に予め記憶した前記使用者の反応時間を修正する」における、「コマ送りされた画像の数」及び「予め記憶した前記使用者の反応時間を修正する」は、本願発明の「前記指示の終了時点に表示されていた情報から前記選択された情報までのスクロール表示の移動量」及び「新たな所定量として前記記憶手段に更新記憶する」に相当し、前記引用発明の構成は、本願発明の「前記入力手段が前記選択された情報の確定を受け付けた後に、前記表示制御手段は前記指示の終了時点に表示されていた情報から前記選択された情報までのスクロール表示の移動量を算出し、前記所定量と前記移動量との平均値を新たな所定量として前記記憶手段に更新記憶する」と、「前記入力手段が前記選択された情報の確定を受け付けた後に、前記表示制御手段は前記指示の終了時点に表示されていた情報から前記選択された情報までのスクロール表示の移動量に基づいて、新たな所定量を前記記憶手段に更新記憶する」点で一致する。
　引用発明の「画像表示装置」は、本願発明の「表示処理装置」に相当する。
　したがって、両者は、
「表示装置と、
　前記表示装置に表示する情報を記憶する記憶手段と、
　前記情報のスクロール表示を実行させる指示の入力を受け付ける入力手段と、
　前記指示に従って前記情報を所定方向にスクロール表示させる表示制御手段とを備え、
　前記表示制御手段は前記指示の終了後に前記情報を前記所定方向と逆方向に所定量だけ戻した情報を表示させ、
　前記記憶手段は前記所定量を記憶し、
　前記入力手段は前記表示装置に表示された情報の内所望の情報の選択を受け付け、
　前記入力手段が前記選択された後に、前記表示制御手段は前記指示の終了時点に表示されていた情報から前記選択された情報までのスクロール表示の移動量に基づいて、新たな所定量を前記記憶手段に更新記憶する表示処理装置。」
で一致するものであり、次の（１）、（２）の点で相違している。
　　
・相違点（１）
　本願発明は、入力手段は選択された情報の確定を受け付けるのに対し、引用発明は、操作部１２のコマ送り操作により画像を選択しているが、選択された画像の確定を受け付けることは記載されていない点。
　
・相違点（２）
　本願発明は、前記指示の終了時点に表示されていた情報から前記選択された情報までのスクロール表示の移動量を算出し、記憶手段に記憶されている所定量と前記算出された移動量との平均値を新たな所定量として記憶手段に更新記憶しているのに対し、引用発明は、コマ送りされた画像の数に基づいて、設定記憶部１４に予め記憶した前記使用者の反応時間を修正する点。
　
第５　当審の判断
　相違点（１）ついて
　引用例には、「表示を戻すべき時間（Ｔ１＋Ｔ２）を決定した後、自動的に目的の画像を推定する代りに、時間（Ｔ１＋Ｔ２）あるいは（Ｔ１＋Ｔ２＋α）（αは所定の余裕時間）の間に表示した個々の画像を、表示部１１に連続して低速表示（前述した通常の表示（高速表示）よりも遅い表示を行うようにし（図３のステップＳ６）、操作部１２によって目的の画像を使用者に再度特定させるようにしてもよい。」（段落【００２１】）及び「表示した個々の画像を、縮小して表示部１１に一覧表示し（サムネイルを表示し）（図３のステップＳ７）、操作部１２によって目的の画像を使用者に再度特定させるようにしてもよい。」（段落【００２３】）と記載されており、操作部１２により画像を選択して特定（「確定」に相当する。）ことが示されている。
　また、情報処理装置において、選択した情報の確定を受け付ける入力手段を設けることは、文献を示すまでもなく本願出願前周知の技術である。
　したがって、引用発明において、操作部１２により選択された画像の確定を受け付けるようにすることは、当業者が容易になし得ることである。
　　
　相違点（２）ついて
　引用発明は、設定記憶部１４に設定した使用者の反応時間Ｔ１を修正することで、使用者の目的の画像が、画像表示装置１が自動的に目的の画像と推定した画像の何ページ（コマ）前後であったかを学習するものであり、前記学習の結果、設定される使用者の反応時間（Ｔ１）は個々の使用者における実際の反応時間により近づき、自動的に推定した画像が使用者の目的の画像となる可能性をより高める（段落【００２５】の記載参照。）ことができる。
　そして、学習型の補正処理として、補正処理を行ったときに得られたデータを順次、加算平均して新たなデータとして更新することは、本願出願前周知の技術（例えば、特開平１０−１０８８４０号公報段落【０００３】、特開平９−１６８７４号公報段落【００１４】、【００１５】、特開２００１−４９０６号公報段落【００３９】の記載参照。）である。
　そうすると、引用発明における、コマ送りされた画像の数に基づいて、設定記憶部１４に予め記憶した前記使用者の反応時間（Ｔ１）を修正し学習するのに、上記周知な加算平均処理を採用することは、当業者が適宜なし得る設計事項である。
　したがって、引用発明において、記憶手段に記憶されている所定量と算出された移動量との平均値を新たな所定量として記憶手段に更新記憶するように構成することは、当業者が容易になし得ることである。
　　　
　また、本願発明の作用効果も、引用発明及び周知技術から、当業者であれば予想できる範囲内のものである。
　　　　
第６　むすび
　以上のとおり、本願請求項１に係る発明は、引用発明及び周知技術に基づ
いて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。